(57)【要約】【課題】ベッドの骨格部材を特殊な構造にして軽量化し、運搬移動等を容易に行えるようにするとともに、骨格部材にフード部材を簡単に取り付けられるようにし、安全性が高く、外観上の体裁も優れたベッドを提供する。【解決手段】ベッドの骨格部材であるヘッドボード部２とフットボード部３は、対面する少なくとも一対の格子パネル２ａ，２ｄ及び３ａ，３ｂで構成されている。一対の格子パネル２ａ，２ｄ及び３ａ，３ｂは、前面格子パネル２ａ，３ａと後面格子パネル２ｂ，３ｂを間隔をあけて配置している。一対の格子パネルは、上部支持杆２ｃ，３ｃと下部支持杆２ｄ，３ｄとの間に固定したものであり、下部支持杆２ｄ，３ｄにベッド本体との止着部材が設けられている。一対の格子パネルにはクッション性のフード部材が被着される。【選択図】図１
2008043353.tif 000002
【特許請求の範囲】
【請求項１】
ベッドの骨格部材が、対面する少なくとも一対の格子パネルで構成されていることを特徴とするベッド。
【請求項２】
前記骨格部材は、ヘッドボード部及び／又はフットボード部であることを特徴とする請求項１に記載のベッド。
【請求項３】
前記一対の格子パネルは、前面格子パネルと後面格子パネルを間隔を開けて配置したものであることを特徴とする請求項１又は２に記載のベッド。
【請求項４】
前記一対の格子パネルは、上部支持杆と下部支持杆との間に固定したものであり、下部支持杆にベッド本体との止着部材が設けられていることを特徴とする請求項１〜３のいずれかに記載のベッド。
【請求項５】
前記格子パネルは、縦枠と横枠を交差させて格子状に構成したものであることを特徴とする請求項１〜４のいずれかに記載のベッド。
【請求項６】
前記一対の格子パネルにクッション性のフード部材を被着したことを特徴とする請求項１〜５のいずれかに記載のベッド。
【請求項７】
前記フード部材は、クッション材をスペーサ材を挟んで折り曲げ、該スペーサ材により形成された空間部を前記骨格部材に挿入するものであることを特徴とする請求項１〜６のいずれかに記載のベッド。
【請求項８】
前記スペーサ材は、前記クッション材の幅方向の両端縁部に装着していることを特徴とする請求項７に記載のベッド。
【請求項９】
前記クッション材とスペーサ材を止着テープにより止着することを特徴とする請求項８に記載のベッド。
【請求項１０】
前記フード部材をカバー材で被覆したことを特徴とする請求項６〜９のいずれかに記載のベッド。
【請求項１１】
ベッドの骨格部材に被着されるフード部材であって、クッション材とスペーサ材を有し、前記スペーサ材を挟んだ状態で前記クッション材を長さ方向に折り曲げ、前記スペーサ材により、前記ベッド骨格部材への挿入空間部を形成したことを特徴とするベッド用フード部材。
【請求項１２】
前記クッション材とスペーサ材を止着テープにより止着することを特徴とする請求項１１に記載のベッド用フード部材。
【発明の詳細な説明】
【技術分野】
【０００１】
本発明は、骨格部材を特殊な構造として軽量化を図ったベッド及びこのベッドの骨格部材に被着されるフード部材に関するものである。
【背景技術】
【０００２】
介護用ベッド等において、床板部が起伏するものが知られているが、このようなベッドは床板部を起伏させるための駆動装置等が設置されているため、全体的に重量が重くなる傾向にある。また通常の家庭用ベッドであっても、高級感を出すためにヘッドボード、フットボード等を含めた全体を板材で構成しているものもあるが（特許文献１）、やはり全体の重量が重くなって組み立てや移動作業が重労働となる。
【０００３】
一方、病院等においては、金属フレーム等で構成されているベッドも多用されており、上述したベッドに比較すれば構成が簡単で軽量であるが、金属部分に接触して怪我をする危険性もあり、外観的にも無味単調である。このためベッドサイドフレームやサイド柵、板状のヘッドボード、フットボードにクッション性のカバーを被着したものも提案されているが（特許文献２、３）、カバーの取り付けが面倒であること、デザイン性に欠けていること、ヘッドボード、フットボーが板状であるため平面的でデザイン性に乏しく、重量も重いこと、等の問題がある。
【０００４】
【特許文献１】特許第３５６２９３４号公報
【特許文献２】実公平２−３５２４３号公報
【特許文献３】特開２００４−２０８８１０号公報
【発明の開示】
【発明が解決しようとする課題】
【０００５】
本発明は、上述した現状に鑑みて提案されたものであり、その第１の課題は、骨格部材を特殊な構造にして軽量化し、運搬移動等が容易なベッドを提供することである。
また第２の課題は、前記骨格部材にフード部材を簡単に取り付けられるようにし、安全性が高く、外観上の体裁も優れたベッドを提供することであり、またベッド骨格部材に容易に取り付けられるベッド用フード部材を提供することである。
また第３の課題は、簡単な構成で製作コストも安価なベッド及びベッド用フード部材を提供することである。
【課題を解決するための手段】
【０００６】
本発明の請求項１の発明にあっては、ベッドの骨格部材が、対面する少なくとも一対の格子パネルで構成されていることを特徴とする。
【０００７】
骨格部材とはベッドを構成する骨組のすべてを含み、ここでは後述するヘッドボード部、フットボード部のほか、サイドボード部、床板部等も含まれる。また格子パネルとは、ここでは必ずしも縦枠と横枠がクロスした状態のパネルに限定されるものではなく、縦枠又は横枠のみパネルや、多孔板状のパネル等も含まれる。また一対の格子パネルを複数組み合わせて骨格部材を構成してもよい。このように骨格部材を一対の格子パネルで構成することにより、厚手の板材や金属板等で構成されたベッドに比較して軽量化が図られる。
【０００８】
また請求項２の発明にあっては、請求項１の発明において、前記骨格部材は、ヘッドボード部及び／又はフットボード部であることを特徴とする。このようにすると、ヘッドボード部やフットボード部を重厚な板材等で構成した従来のベッドに比較して軽量化が図られる。
【０００９】
また本発明の請求項３の発明にあっては、請求項１又は２の発明において、前記一対の格子パネルは、前面格子パネルと後面格子パネルを間隔をあけて配置したものであることを特徴とする。このように前面格子パネルと後面格子パネルを適宜間隔あけることにより、ベッドに応じて骨格部材の全体の厚味感を出すことができる。
【００１０】
また請求項４の発明にあっては、請求項１〜３のいずれかの発明において、前記一対の格子パネルは、上部支持杆と下部支持杆との間に固定したものであり、下部支持杆にベッド本体との止着部材が設けられていることを特徴とする。このようにすると、一対の格子パネルが上下部において確実に固定されるとともに、ベッド本体に骨格部材（一対の格子パネル）を簡単に取り付けることができる。
【００１１】
また請求項５の発明にあっては、請求項１〜４のいずれかの発明において、前記格子パネルは、縦枠と横枠を交差させて格子状に構成したものであることを特徴とする。このような格子パネルは、製作も簡単で安価であり、強度的にも強い。
【００１２】
また請求項６の発明にあっては、請求項１〜５のいずれかの発明において、前記一対の格子パネルにクッション性のフード部材を被着したことを特徴とする。ここでのフード部材の構成は、骨格部材（一対の格子パネル）を覆うことができるものであれば特に限定されるものではなく、骨格部材の構成に応じて任意に選定することができる。このようなフード部材を被せることにより安全性が確保されるとともに、外観上の体裁も良くなる。
【００１３】
また請求項７の発明にあっては、請求項１〜６のいずれかの発明において、前記フード部材は、クッション材をスペーサ材を挟んで折り曲げ、該スペーサ材により形成された空間部を前記骨格部材に挿入するものであることを特徴とする。クッション材としては単体のウレタン樹脂材、ゴム材等のほか、布袋等の内部にクッション材を充填したものであってもよい。また、スペーサ材もクッション材と同質のものを使用できる。このようなフード部材は、構成も簡単で安価に製造することができ、骨格部材への取り付け作業も簡単である。
【００１４】
また請求項８の発明にあっては、請求項７に記載の発明において、前記スペーサ材は、前記クッション材の長さ方向の左右両端縁部に装着していることを特徴とする。これによって、フード部材に骨格部材への挿入空間が形成され、骨格部材への取り付けが容易になる。
【００１５】
また請求項９の発明にあっては、請求項８の発明において、前記クッション材とスペーサ材を止着テープにより着脱可能に止着することを特徴とする。このようにすると、クッション材とスペーサ材を止着テープで止着するだけで、簡単にフード部材を組み立てることができる。
【００１６】
また請求項１０の発明にあっては、請求項６〜９のいずれかの発明において、前記フード部材をカバー材で被覆したことを特徴とする。カバー材は、布製、プラスチック製等であり、その構成はフード部材を覆うものであれば任意であるが袋状にするとフード部材への取り付けが簡単である。このようなカバー材には任意のデザイン等を施すことができ、外観上の体裁が良くなり、フード部材の汚れを防止できる。
【００１７】
一方、請求項１１の発明は、ベッドの骨格部材に被着されるベッド用フード部材の発明であって、クッション材とスペーサ材を有し、前記スペーサ材を挟んだ状態で前記クッション材を長さ方向に折り曲げ、前記スペーサ材により、前記ベッド骨格部材への挿入空間部を形成したことを特徴とする。このようなベッド用フード部材は、簡単な構成で安価に製造でき、いかなる構成の骨格部材にも適用が可能である。ここでの骨格部材には単純な板材等も含まれる。
【００１８】
また請求項１２の発明にあっては、請求項１１の発明において、前記クッション材とスペーサ材を止着テープにより止着することを特徴とする。このようにすると、上述したようにフード部材を簡単に安価に組み立てることができる。
【発明の効果】
【００１９】
上述した本発明によれば、骨格部材を上述した特殊な構造にしたことにより全体が軽量化し、運搬移動等が従来に比較して容易となる。
また本発明によれば、前記骨格部材にフード部材を簡単に取り付けることができ、骨格部材が露出しないため安全性が高く、外観上の体裁も良くなる。
また本発明のベッド及びベッド用フード部材は、簡単な構成で製作コストも安価である。
その他、本発明によれば、上述した各請求項の発明で説明した作用効果が得られる。
【発明を実施するための最良の形態】
【００２０】
以下、本発明の実施形態を、添付図面を参考にして説明する。図１はベッド本体１の全体骨格部材を示す斜視図であり、２はヘッドボード部、３はフットボード部、４は床板部である。
【００２１】
床板部４は、背板部４ａと腰板部４ｂ，４ｃと脚板部４ｄに分割されており、背板部４ａと腰板部４ｃ及び脚板部４ｄの一端部は、外枠フレーム７に起伏可能に枢着されるとともに、支持フレーム５に設置された起伏駆動装置６のアームにより下方から支持されている。ここでは詳示しないが、床板部４は起伏駆動装置６により、背板部４ａがフットボード部３方向に起立し、脚板部４ｄと腰板部４ｃは互いの接辺部が山形に起立するようになっている。
【００２２】
床板部４は縦枠と横枠が交差した格子パネルとなっており、両側部にベッドに乗り降りする際の補助枠を取り付ける差込部材８が多数設けられている。この床板部４の上面部にはマットが敷かれる。
【００２３】
ヘッドボード部２とフットボード部３は、それぞれ対面する一対の格子パネル２ａ，２ｂ及び３ａ，３ｂで構成されており、これらは上部支持杆２ｃ，３ｃと下部支持杆２ｄ，３ｃの間に固定されている。ヘッドボード部２とフットボード部３は、高さの違いを除けば基本的な構成は同じであるから、以下、ヘッドボード部２を例にとって詳細に説明する。
【００２４】
図２はヘッドボー部２の斜視図であり、前面の格子パネル２ａと後面の格子パネル２ｂとが間隔Ｌを開けて対面している。これら一対の前後面格子パネル２ａ，２ｂは、円形パイプ状の上部支持杆２ｃと角形パイプ状の下部支持杆２ｄの間に溶接その他の手段で固定されている。
【００２５】
前後面格子パネル２ａ，２ｂは、それぞれ複数の縦枠２ｅ，２ｅと横枠２ｆ，２ｆを交差部において固定することにより構成されている。前面格子パネル２ａは平面形状であるのに対し、後面パネル２ｂは、上部が前面パネル２ａ側にやや屈曲した形状となっている。
【００２６】
また、下部支持杆部２ｄの後面側の左右両側部には、ベッド本体１との止着部材２ｇ，２ｇが固定されている。止着部材２ｇ，２ｇは、コ字状ブラケットから構成され、上下部に止着ピン２ｈ，２ｈが突設されるとともに、上部止着ピン２ｈの近傍には係止フック２ｉ，２ｉが枢着されている。
【００２７】
ヘッドボード部２をベッド本体１の外枠フレーム７に取り付ける場合は、外枠フレーム７の先端縁部に形成された係入孔に止着ピン２ｈ，２ｈを差し込み、係止フック２ｉ，２ｉを外枠フレーム７側の所定位置に係止して脱落を防止している（外枠フレーム７側の取り付け構造の図面は省略する）。
【００２８】
上述したヘッドボード部２及びフットボード部３には、図９乃至図１１に示すようなクッション性のフード部材１０が被せられる。フード部材１０は、ヘッドボード部２用とフットボード部３用のものは高さが違うだけで基本的な構成は同じであるから、ここではヘッドボード部２用のものを例にとって説明する。
【００２９】
フード部材１０は、図９に示すように、ウレタン樹脂等で造られた平板状のクッション材１０ａと、同じくウレタン樹脂等で造られた左右のスペーサ材１０ｂ，１０ｂからなっている。クッション材１０ａの幅方向両端縁部の上下４箇所には、粘着テープ、面ファスナーテープ等の止着テープ１０ｃが固着されるとともに、スペーサ材１０ｂ，１０ｂの表裏両面部にも同種の止着テープ１０ｄが固着されている。なお、クッション材１０ａの長さ方向両端縁部に形成された切欠部１０ｆ，１０ｆは、上述した止着部材２ｇ，２ｇの逃げ部となる。
【００３０】
スペーサ材１０ｂ，１０ｂは、クッション材１０ａの上下一方の両側縁部に互いの止着テープ１０ｃ，１０ｄを貼り合わせて止着される。この状態で、クッション材１０ａを長さ方向中央部において折り曲げ、スペーサ材１０ｂ，１０ｂが固着されていない側の止着テープ１０ｃ，１０ｃをスペーサ材１０ｂの他面側の止着テープに貼り合わせて止着する。
【００３１】
これにより、図１０に示すように半折状のクッション材１０ａの両側部にスペーサ材１０ｂ，１０ｂを挟み、内部にヘッドボード部２の挿入空間部１０ｅ（図１１参照）が形成されたフード部材１０が構成される。このフード部材１０は、図１１に示すようにヘッドボード部２に被せるように挿入される。
【００３２】
このフード部材１０の表面部には、図１２及び図１３に示すようなカバー材１１が被せられ、図示しない止め紐でヘッドボード部２に止着される。カバー材１１は、ここでは布地により袋状に縫製されている。
【００３３】
本発明は、上述した実施態様に限定されるものではなく、種々の変更が可能である。ベッド本体１は、病院、介護用ベッドのみならず、一般家庭用ベッドであってもよい。
【図面の簡単な説明】
【００３４】
【図１】本発明のベッド本体の全体骨格部材を示す斜視図である。
【図２】同じくヘッドボードの骨格部材を示す斜視図である。
【図３】同じくヘッドボードの正面図である。
【図４】同じくヘッドボードの背面図である。
【図５】同じくヘッドボードの平面図である。
【図６】同じくヘッドボードの底面図である。
【図７】同じくヘッドボードの右側面図である。
【図８】同じくヘッドボードの左側面図である。
【図９】本発明のベッド用フード部材の組立説明図である。
【図１０】同じくベッド用フード部材の斜視図である。
【図１１】同じくベッド用フード部材をヘッドボード部に取り付けた状態の一部断面図である。
【図１２】本発明のベッド用フード部材に被せるカバー材を正面方向から見た斜視図である。
【図１３】同じくカバー材を背面方向から見た斜視図である。
【符号の説明】
【００３５】
１はベッド本体
２はヘッドボード部
２ａ，２ｂは格子パネル
２ｃは上部支持杆
２ｄは下部支持杆
２ｅは縦枠
２ｆは横枠
２ｇは止着部材
３はフットボード部
３ａ，３ｂは格子パネル
３ｃは上部支持杆
３ｂは下部支持杆
４は床板部
５は支持フレーム
６は起伏駆動装置
７は外枠フレーム
８は差込部材
１０はフード部材
１０ａはクッション材
１０ｂはスペーサ材
１０ｃ，１０ｄは止着テープ
１０ｅは空間部
１１はカバー材
【図１】
2008043353.tif 000003
【図２】
2008043353.tif 000004
【図３】
2008043353.tif 000005
【図４】
2008043353.tif 000006
【図５】
2008043353.tif 000007
【図６】
2008043353.tif 000008
【図７】
2008043353.tif 000009
【図８】
2008043353.tif 000010
【図９】
2008043353.tif 000011
【図１０】
2008043353.tif 000012
【図１１】
2008043353.tif 000013
【図１２】
2008043353.tif 000014
【図１３】
2008043353.tif 000015